(57)【要約】【課題】  開封した後に開口部を再度閉めることができる再封機能を有し、上面板、底面板ともに開封可能として取り出し容易性を高め、なおかつ現行の包装箱と同等の強度を備え、ハーフトレイで使用した場合にも強度を保てる包装箱を提供する。【解決手段】  本発明の包装箱は、一対の側面板のうち一方の側面板の側に位置する折り曲げ連接側片の一つを引き裂き開始のための引き裂き除去可能な引き裂き側片として構成するとともに、帯状の第１の引き裂き体および帯状の第２の引き裂き体の引き裂き除去ならびに第１の切り取り部および第２の切り取り部を切り取ることによって形成された蓋体をヒンジ機能折り部を中心として回動できるように構成される。【選択図】  図１
2006182366.tif 000002
【特許請求の範囲】
【請求項１】
上面板、底面板、およびこれらを連結する一対の側面板を有して形成される胴部、ならびに内フラップおよび外フラップを備えてなるラップアラウンド式の包装箱において、
当該包装箱は、上面４Ｎ角形（Ｎは２以上の整数を表す）を形成するために、内フラップと胴部とが接続する箇所において折り曲げ連接側片が介在されており、
前記一対の側面板のうち一方の側面板の側に位置する折り曲げ連接側片の一つは引き裂き開始のための引き裂き除去可能な引き裂き側片を構成しており、
前記上面板は帯状の第１の引き裂き体を有し、当該帯状の第１の引き裂き体の一方端は、前記引き裂き側片の一方端に向かって延びており、当該帯状の第１の引き裂き体の他方端は前記上面板の略中央部に向かって延びるとともに、他方の側面板に向けて延設されている第１の切り取り部と連接されており、
前記底面板は帯状の第２の引き裂き体を有し、当該帯状の第２の引き裂き体の一方端は、前記引き裂き側片の他方端に向かって延びており、当該帯状の第２の引き裂き体の他方端は前記底面板の略中央部に向かって延びるとともに、他方の側面板に向けて延設されている第２の切り取り部と連接されており、
前記引き裂き側片を引き裂き除去するとともに、この引き裂き側片の両端にそれぞれ配置・連接されている帯状の第１の引き裂き体および帯状の第２の引き裂き体を前記上面板および前記底面板の略中央部に向けて引き裂き除去し、さらに、前記他方の側面板方向に向けて前記第１の切り取り部および第２の切り取り部を切り取ることによって形成された蓋体を前記他方の側面板側に回動させて前記他方の側面板の一部にヒンジ機能折り部を形成させ、前記蓋体を前記ヒンジ機能折り部を中心として回動可能としてなることを特徴とする包装箱。
【請求項２】
上面板、底面板、およびこれらを連結する一対の側面板を有して形成される胴部、ならびに内フラップおよび外フラップを備えてなるラップアラウンド式の包装箱において、
当該包装箱は、上面４角形を形成しており、前記一対の側面板のうち一方の側面板は、内フラップと接続する箇所の一つに、引き裂き除去可能な引き裂き側片を構成しており、
前記上面板は帯状の第１の引き裂き体を有し、当該帯状の第１の引き裂き体の一方端は、前記引き裂き側片の一方端に向かって延びており、当該帯状の第１の引き裂き体の他方端は前記上面板の略中央部に向かって延びるとともに、他方の側面板に向けて延設されている第１の切り取り部と連接されており、
前記底面板は帯状の第２の引き裂き体を有し、当該帯状の第２の引き裂き体の一方端は、前記引き裂き側片の他方端に向かって延びており、当該帯状の第２の引き裂き体の他方端は前記底面板の略中央部に向かって延びるとともに、他方の側面板に向けて延設されている第２の切り取り部と連接されており、
前記引き裂き側片を引き裂き除去するとともに、この引き裂き側片の両端にそれぞれ配置・連接されている帯状の第１の引き裂き体および帯状の第２の引き裂き体を前記上面板および前記底面板の略中央部に向けて引き裂き除去し、さらに、前記他方の側面板方向に向けて前記第１の切り取り部および第２の切り取り部を切り取ることによって形成された蓋体を前記他方の側面板側に回動させて前記他方の側面板の一部にヒンジ機能折り部を形成させ、前記蓋体を前記ヒンジ機能折り部を中心として回動可能としてなることを特徴とする包装箱。
【請求項３】
前記他方の側面板に形成されるヒンジ機能折り部は、その一部が他方の側面板に形成されている一対の引き裂き開始片の分離ラインの切れ目を利用してなる請求項１または請求項２に記載の包装箱。
【請求項４】
前記帯状の第１の引き裂き体および前記第１の切り取り部、前記帯状の第２の引き裂き体および前記第２の切り取り部は、それぞれ、前記一方の側面板、前記他方の側面板のいずれに対しても、鏡像関係となるように配置形成されてなる請求項１ないし請求項３のいずれかに記載の包装箱。
【請求項５】
前記帯状の第１の引き裂き体および前記帯状の第２の引き裂き体は、それぞれ、前記引き裂き側片の両端部から前記上面板の略中央部および前記底面板の略中央部に向けて漸減する帯幅を有してなる請求項１ないし請求項４のいずれかに記載の包装箱。
【請求項６】
前記引き裂き側片が存在している位置を上方とした場合、前記帯状の第１の引き裂き体と前記第１の切り取り部との接合箇所は、前記上面板の中心点よりも下方位置にあり、かつ他方の側面板側に位置し、
前記帯状の第２の引き裂き体と前記第２の切り取り部との接合箇所は、前記底面板の中心点よりも下方位置にあり、かつ他方の側面板側に位置してなる請求項１ないし請求項５のいずれかに記載の包装箱。
【請求項７】
前記第１の切り取り部が他方の側面板と接する高さ位置、および前記第２の切り取り部が他方の側面板と接する高さ位置は、他方の側面板に形成されている一対の引き裂き開始片の分離ラインの高さ位置と実質的に同じ高さ位置とされる請求項１ないし請求項６のいずれかに記載の包装箱。
【請求項８】
前記帯状の第１の引き裂き体および前記帯状の第２の引き裂き体は、その輪郭に沿って切断用の切り込み線が断続的に形成されてなる請求項１ないし請求項７のいずれかに記載の包装箱。
【請求項９】
包装箱内に収納される容器製品物は、缶容器製品物またはその集合体である請求項１ないし請求項８のいずれかに記載の包装箱。
【請求項１０】
前記缶容器製品物は、アルコール飲料缶またはノンアルコール飲料缶である請求項９に記載の包装箱。
【請求項１１】
前記集合体は、マルチパック包装されてなる請求項９に記載の包装箱。
【請求項１２】
請求項１または請求項２に記載の包装箱によって被包装物である容器製品物を包装してなることを特徴とする包装製品。
【請求項１３】
前記被包装物は、缶容器製品物またはその集合体である請求項１２に記載の包装製品。
【請求項１４】
前記缶容器製品物は、アルコール飲料缶またはノンアルコール飲料缶である請求項１３に記載の包装製品。
【請求項１５】
前記集合体は、マルチパック包装されてなる請求項１３に記載の包装製品。
【発明の詳細な説明】
【技術分野】
【０００１】
本発明は、缶製品等の容器製品物を包み込むように収納するいわゆるラップアラウンド式の紙製包装箱に関し、例えば、いわゆるマルチパックで包装された缶製品等の容器製品物を収納する包装箱に関する。
【背景技術】
【０００２】
いわゆるラップアラウンド式の包装箱による容器製品物の包装は一般に以下の要領で行われる。すなわち、一般に上面板、底面板、およびこれらを連結する一対の側面板を有して形成される帯状の胴部で容器製品物を包み込むように収納した後、その開口したままになっている胴部両端部をそれぞれ一対の内フラップおよび外フラップで順次塞ぐことにより、容器製品物が収納された包装箱が完成される。
【０００３】
缶製品等の容器製品物は、缶そのままの状態で包装箱に収納される場合と、マルチパックとして、例えば缶６本単位で包装した上で、このマルチパック包装体を例えば２列２段に合計４体配列した状態で、１つの包装箱に収納される場合がある。
【０００４】
このようにして包装箱に収納されたマルチパックを包装箱から取り出す際には、例えば包装箱に予め形成されているハーフトレイ形成用の切離帯をぐるりと一周側面に沿って切断して包装箱を分割するようにすればよいが、より簡便に開封するために、内フラップおよび外フラップの糊付けを剥がして包装箱の長手方向の一方の端部を開き、この開口部からマルチパック包装体を取り出す操作もよく行われる。
【０００５】
しかしながら、包装箱の長手方向の一方の端部を開いて中のマルチパック包装体を取り出そうとする場合には、マルチパック包装体と成形された包装箱の間に隙間がないために、包装箱を開口した後に、マルチパック包装体を取り出すための指が入り難く、マルチパック包装体が取り出し難いという問題がある。特に、包装箱の開口部から奥側である下段に位置するマルチパックが取り出し難い。
【０００６】
また、一旦糊付けされているフラップを剥がして容器製品物を取り出した後は、糊付けなしで再び内フラップおよび外フラップを閉じて取り出し口である開口部を再封することができないために、保管中の包装箱の外観が悪いという問題や、フラップを開放したままでの保管では保管中に、異物や埃が包装箱内に混入するおそれがあるという問題が生じる。
【０００７】
このような問題を解決するための従来技術として、特開２００１−３５４２３１号公報（特許文献１）、特開２００２−１６６９２８号公報（特許文献２）、特開２００２−２２５８５５号公報（特許文献３）、特開２００４−０９９０７４号公報（特許文献４）、特開２００４−２５００１６号公報（特許文献５）等に提案されている技術がある。
【０００８】
しかしながら、特許文献１では、包装箱自体の再封機能がなく、また取り出し容易性に関しては上面のみが開封可能となっており、マルチパック包装体と底面板との間には隙間がないままであり、マルチパック包装体の取り出し容易性は十分とは言えない。
【０００９】
また、特許文献２および特許文献３は、包装箱自体の再封機能は備えているものの、取り出し容易性に関しては上面のみが開封可能となっており、マルチパック包装体と底面板との間には隙間がないままであり、マルチパック包装体の取り出し容易性は十分とは言えない。
【００１０】
特許文献４は、包装箱自体の再封機能は備えているものの、取り出し容易性に関しては端部のみが開封可能となっており、マルチパック包装体と成形された包装箱の間には隙間が十分になく、マルチパック包装体の取り出し容易性は十分とは言えない。
【００１１】
特許文献５は、包装箱自体の再封機能がなく、また取り出し容易性に関しては上面板、底面板ともに開封可能となっているが、包装箱の強度を重視する場合には、上面板、底面板ともに開封するのは好ましくないという問題がある。
【００１２】
【特許文献１】特開２００１−３５４２３１号公報
【特許文献２】特開２００２−１６６９２８号公報
【特許文献３】特開２００２−２２５８５５号公報
【特許文献４】特開２００４−０９９０７４号公報
【特許文献５】特開２００４−２５００１６号公報
【発明の開示】
【発明が解決しようとする課題】
【００１３】
このような実状のもとに本願発明は創案されたものであって、その目的は、開封した後に開口部を再度閉めることができる再封機能を有し、上面板、底面板ともに開封可能として取り出し容易性を高め、なおかつ現行の包装箱と同等の強度を備え、ハーフトレイで使用した場合にも強度を保てる包装箱を提供することにある。
【課題を解決するための手段】
【００１４】
上記課題を解決するために本発明のラップアラウンド式の包装箱は、上面板、底面板、およびこれらを連結する一対の側面板を有して形成される胴部、ならびに内フラップおよび外フラップを備え、当該包装箱は、上面４Ｎ角形（Ｎは２以上の整数を表す）を形成するために、内フラップと胴部とが接続する箇所において折り曲げ連接側片が介在されており、前記一対の側面板のうち一方の側面板の側に位置する折り曲げ連接側片の一つは引き裂き開始のための引き裂き除去可能な引き裂き側片を構成しており、前記上面板は帯状の第１の引き裂き体を有し、当該帯状の第１の引き裂き体の一方端は、前記引き裂き側片の一方端に向かって延びており、当該帯状の第１の引き裂き体の他方端は前記上面板の略中央部に向かって延びるとともに、他方の側面板に向けて延設されている第１の切り取り部と連接されており、前記底面板は帯状の第２の引き裂き体を有し、当該帯状の第２の引き裂き体の一方端は、前記引き裂き側片の他方端に向かって延びており、当該帯状の第２の引き裂き体の他方端は前記底面板の略中央部に向かって延びるとともに、他方の側面板に向けて延設されている第２の切り取り部と連接されており、前記引き裂き側片を引き裂き除去するとともに、この引き裂き側片の両端にそれぞれ配置・連接されている帯状の第１の引き裂き体および帯状の第２の引き裂き体を前記上面板および前記底面板の略中央部に向けて引き裂き除去し、さらに、前記他方の側面板方向に向けて前記第１の切り取り部および第２の切り取り部を切り取ることによって形成された蓋体を前記他方の側面板側に回動させて前記他方の側面板の一部にヒンジ機能折り部を形成させ、前記蓋体を前記ヒンジ機能折り部を中心として回動可能としてなるように構成される。
【００１５】
また、本発明のラップアラウンド式の包装箱は、上面板、底面板、およびこれらを連結する一対の側面板を有して形成される胴部、ならびに内フラップおよび外フラップを備え、当該包装箱は、上面４角形を形成しており、前記一対の側面板のうち一方の側面板は、内フラップと接続する箇所の一つに、引き裂き除去可能な引き裂き側片を構成しており、前記上面板は帯状の第１の引き裂き体を有し、当該帯状の第１の引き裂き体の一方端は、前記引き裂き側片の一方端に向かって延びており、当該帯状の第１の引き裂き体の他方端は前記上面板の略中央部に向かって延びるとともに、他方の側面板に向けて延設されている第１の切り取り部と連接されており、前記底面板は帯状の第２の引き裂き体を有し、当該帯状の第２の引き裂き体の一方端は、前記引き裂き側片の他方端に向かって延びており、当該帯状の第２の引き裂き体の他方端は前記底面板の略中央部に向かって延びるとともに、他方の側面板に向けて延設されている第２の切り取り部と連接されており、前記引き裂き側片を引き裂き除去するとともに、この引き裂き側片の両端にそれぞれ配置・連接されている帯状の第１の引き裂き体および帯状の第２の引き裂き体を前記上面板および前記底面板の略中央部に向けて引き裂き除去し、さらに、前記他方の側面板方向に向けて前記第１の切り取り部および第２の切り取り部を切り取ることによって形成された蓋体を前記他方の側面板側に回動させて前記他方の側面板の一部にヒンジ機能折り部を形成させ、前記蓋体を前記ヒンジ機能折り部を中心として回動可能としてなるように構成される。
【００１６】
また、本発明の好ましい態様として、前記他方の側面板に形成されるヒンジ機能折り部は、その一部が他方の側面板に形成されている一対の引き裂き開始片の分離ラインの切れ目を利用してなるように構成される。
【００１７】
また、本発明の好ましい態様として、前記帯状の第１の引き裂き体および前記第１の切り取り部、前記帯状の第２の引き裂き体および前記第２の切り取り部は、それぞれ、前記一方の側面板、前記他方の側面板のいずれに対しても、鏡像関係となるように配置形成されてなるように構成される。
【００１８】
また、本発明の好ましい態様として、前記帯状の第１の引き裂き体および前記帯状の第２の引き裂き体は、それぞれ、前記引き裂き側片の両端部から前記上面板の略中央部および前記底面板の略中央部に向けて漸減する帯幅を有してなるように構成される。
【００１９】
また、本発明の好ましい態様として、前記引き裂き側片が存在している位置を上方とした場合、前記帯状の第１の引き裂き体と前記第１の切り取り部との接合箇所は、前記上面板の中心点よりも下方位置にあり、かつ他方の側面板側に位置し、前記帯状の第２の引き裂き体と前記第２の切り取り部との接合箇所は、前記底面板の中心点よりも下方位置にあり、かつ他方の側面板側に位置してなるように構成される。
【００２０】
また、本発明の好ましい態様として、前記第１の切り取り部が他方の側面板と接する高さ位置、および前記第２の切り取り部が他方の側面板と接する高さ位置は、他方の側面板に形成されている一対の引き裂き開始片の分離ラインの高さ位置と実質的に同じ高さ位置とされる。
【００２１】
また、本発明の好ましい態様として、前記帯状の第１の引き裂き体および前記帯状の第２の引き裂き体は、その輪郭に沿って切断用の切り込み線が断続的に形成されてなるように構成される。
【００２２】
また、本発明の好ましい態様として、包装箱内に収納される容器製品物は、缶容器製品物またはその集合体から構成される。
【００２３】
また、本発明の好ましい態様として、前記缶容器製品物は、アルコール飲料缶またはノンアルコール飲料缶から構成される。
【００２４】
また、本発明の好ましい態様として、前記集合体は、マルチパック包装されて構成される。
【００２５】
本発明の包装製品は、前記包装箱によって被包装物である容器製品物を包装して形成される。
【００２６】
また、本発明の好ましい態様として、前記被包装物は、缶容器製品物またはその集合体から構成される。
【００２７】
また、本発明の好ましい態様として、前記缶容器製品物は、アルコール飲料缶またはノンアルコール飲料缶から構成される。
【００２８】
また、本発明の好ましい態様として、前記集合体は、マルチパック包装されて構成される。
【発明の効果】
【００２９】
本発明の包装箱は、一対の側面板のうち一方の側面板の側に位置する折り曲げ連接側片の一つを引き裂き開始のための引き裂き除去可能な引き裂き側片として構成するとともに、帯状の第１の引き裂き体および帯状の第２の引き裂き体の引き裂き除去ならびに第１の切り取り部および第２の切り取り部を切り取ることによって形成された蓋体をヒンジ機能折り部を中心として回動できるように構成されているので、開封した後に開口部を再度閉めることができる再封機能を有し、さらに上面板、底面板ともに開封され、取り出し容易性に優れる。なおかつ現行の包装箱と同等の強度を備え、ハーフトレイで使用した場合にも強度を保つことができる。
【発明を実施するための最良の形態】
【００３０】
〔組み立て対象となる包装箱の説明〕
図１は、本発明の組み立ての対象となる包装箱１の展開された好適な一例（展開状態の包装箱カートン）を示したものである。
【００３１】
本発明に適用される包装箱１の形態は、図１に示されるごとく、複数枚（本実施の形態では４枚）の板体１１，２１，１５，２５が連なって形成される帯状の胴部を備えており、例えば、この胴部で容器製品物（缶ビールなどの容器製品物）を包み込むように収納した後、糊代片９で帯状の胴部を筒状に一体固着することにより筒状の胴部を形成することができるようになっている。
【００３２】
包装箱内に収納される容器製品物は、好ましくは、缶容器製品物またはその集合体である。缶容器製品物としては、例えば缶ビール、発泡酒缶、チューハイ缶等のアルコール飲料缶や、缶ジュース、缶コーヒー、缶紅茶、缶入り茶等ノンアルコール飲料缶等が挙げられる。缶容器製品物の集合体としては、一定数量の缶容器を並列した状態のまま（例えば、２×３配列された合計６個のマルチパックや、２×４配列された合計８個のマルチパック）包装されたいわゆるマルチパック包装体が挙げられる。
【００３３】
本発明の包装箱１の実施形態においては、図１に示される折り目線６１，６５，８１，８５から４つの折り曲げ連接側片３８（略長方形形状）が内側に折り込まれ、さらに折り目線６２，６６，８２，８６から４つの内フラップ３１，３１，３５，３５が内側に折り込まれるようになっている。
【００３４】
そして、通常、この折り込まれた４つの内フラップ３１，３１，３５，３５の外面の所定位置に糊付けがなされ、この糊付け面に向けて、折り目線７１，７５，９１，９５から４つの外フラップ４１，４１，４５，４５を折り込むことによって、包装箱の形態を完成することができるようになっている。この状態は、いわゆる出荷箱に相当する。
【００３５】
包装箱の形態についてさらに詳細に説明する。
【００３６】
本発明で用いられる包装箱において、上面板２５の胴部を構成する側には、組み立て時において対向する一対の側面板１１，１５が上面板２５に連接して形成されており、上面板２５の開口側の両端部にはそれぞれ上面側の外フラップ４５，４５が上面板２５に連接して形成されている。
【００３７】
同様に、底面板２１の胴部を構成する側には、前述した一対の側面板１１，１５が底面板２１に連接して形成されており、底面板２１の開口側の両端部にはそれぞれ下面側（底面板側）の外フラップ４１，４１が底面板２１に連接して形成されている。
【００３８】
さらに、本発明の実施形態における側面板１１の開口側の両端部には、それぞれ折り曲げ連接側片３８を介して内フラップ３１，３１が側面板１１に連接して形成されるとともに、これらによって一体化側面部３０が構成されている。
【００３９】
同様に側面板１５の開口側の両端部にはそれぞれ折り曲げ連接側片３８を介して内フラップ３５，３５が側面板１５に連接して形成されるとともに、これらによって一体化側面部３０が構成されている。
【００４０】
なお、本発明でいう内フラップとは出荷箱状態で内側に位置するフラップをいい、外フラップとは、出荷箱状態で外側に位置するフラップをいう。
【００４１】
本発明における包装箱は、上面４Ｎ角形（Ｎは２以上の整数を表し、図面の実施形態はＮ＝２）を形成するために、内フラップと胴部とが接続する箇所において折り曲げ連接側片３８が介在されており、この折り曲げ連接側片３８の存在により、内フラップが連接される胴部の角があたかも切り取られた形態をなしている（図１の符号Ｈ相当部分）。そのため、本実施の形態における上面板２５からみた平面形状は、箱の角部が切り取られたような変形８角形となっている。コーナー部（角部）のスペースはいわゆるデッドスペースとなるため不要とも考えられること、さらにはハンドリング性の向上を図るためや、視覚デザイン性の向上のためにこのような変形８角形が好適な一例として例示してある。また、本発明においては好ましい態様の一例として平面変形８角形の包装箱形態を例示しているが、折り曲げ連接側片３８部分にさらに角部を所定数量、追加形成することにより変形１２角形，変形１６角形，変形２０角形，……とすることができる。
【００４２】
さらに、図１に示される包装箱は、例えば、店頭で中身の容器を陳列する際に、予め包装箱の側面板１１，１５に形成された一対の引き裂き開始片１２，１３，１６，１７をそれぞれ、側面板１１，１５の中央から両端に向かって引くことにより、この引き裂き開始片１２，１３，１６，１７と連なる引き裂き帯体４，５が除去され、これに伴い箱体の上下がそれぞれ分断され、上蓋が取り外された後、下部に残った残余の下部箱がそのまま商品を載せる紙トレーとして利用することができる機能も有している。
【００４３】
このようないわゆるジッパー機能は従来からすでに一般に形成されていたものである。なお、図１における符号１４は、一対の引き裂き開始片１２，１３が対向する位置に形成された分離ラインであり、符号１８は、一対の引き裂き開始片１６，１７が対向する位置に形成された分離ラインである。
【００４４】
本発明の包装箱１において、一対の側面板１１,１５のうち一方の側面板１１の側に位置する折り曲げ連接側片３８の一つは引き裂き開始のための引き裂き除去可能な引き裂き側片３８（３８＊）として構成されている。
【００４５】
この引き裂き側片３８（３８＊）は包装箱１の開封に際して除去される特殊な連接側片であるために、図１ではドット（砂目）を用いてその部材を特別に明示している。さらに、引き裂き側片３８（３８＊）は、他の連接側片３８と区別するために以下の説明において、その符号を引き裂き側片３８＊として表示している。
【００４６】
本発明における上面板２５は、図１に示されるように帯状の第１の引き裂き体１１０を有し、この帯状の第１の引き裂き体１１０の一方端１１０ａは、前述した引き裂き側片３８＊の一方端３８ａ＊に向かって延びるように形成されている。また、帯状の第１の引き裂き体１１０の他方端１１０ｂは、上面板２５の略中央部に向かって延びるとともに、第１の切り取り部１２０と連接されている。この第１の切り取り部１２０は、他方の側面板１５に向けて切り取りラインが延設されている。
【００４７】
この第１の切り取り部（切り取りライン）１２０が他方の側面板１５と接する高さ位置Ｇは、他方の側面板１５に形成されている一対の引き裂き開始片１６，１７が対向する位置に形成されている分離ライン１８の高さ位置と実質的に同じ高さ位置（±１５ｍｍ程度の誤差範囲内）とすることが好ましい。後述する動作説明からわかるように側面板１５の一部にヒンジ機能折り部を形成させる際に、その形成を分離ライン１８の切れ目を利用して容易に行なうようにするためである。
【００４８】
また、図１に示されるように帯状の第１の引き裂き体１１０は、引き裂き側片３８＊と接する一方端１１０ａ側から上面板２５の略中央部に向けて漸減する帯幅を有してなるように構成することが望ましい。第１の引き裂き体１１０の一方端１１０ａを引き裂き開始の基点として上面板２５の略中央部に向けて引き裂き動作をスムースにするためである。漸減する帯幅の設定は、０〜５０ｍｍ程度とすればよい。このような帯状の第１の引き裂き体１１０は、その輪郭に沿って切断用の切り込み線が断続的に形成されている。
【００４９】
さらに、図１に示されるように引き裂き側片３８＊が存在している位置を上方とした場合、上面板２５における帯状の第１の引き裂き体１１０と第１の切り取り部１２０との接合箇所Ｐ（１１０ｂと同じ）は、上面板２５の中心点Ｑよりも下方位置にあり、かつ他方の側面板１５側に位置するように構成することが望ましい。第１の引き裂き体１１０を引き裂き除去するとともに、第１の切り取り部１２０を切り取った後の残余の形態による内容物の取り出し易さ、内容物の安定さ等を配慮した結果である。特に、いわゆるマルチパック包装体を２列×２段の４個配列収納とした場合には、下段のマルチパック包装体の一部が現れ、下段のマルチパック包装体も容易に取り出すことができる（図６参照）。
【００５０】
上述してきた帯状の第１の引き裂き体１１０および第１の切り取り部１２０と同様な構成が、図１に示されるごとく底面板２１側にも側面板１５を中心として鏡像関係に設けられる。すなわち、本発明における底面板２１は、図１に示されるように帯状の第２の引き裂き体１３０を有し、この帯状の第２の引き裂き体１３０の一方端１３０ａは、前述した引き裂き側片３８＊の他方端３８ｂ＊に向かって延びるように形成されている。
【００５１】
また、帯状の第２の引き裂き体１３０の他方端１３０ｂは、底面板２１の略中央部に向かって延びるとともに、第２の切り取り部１４０と連接されている。この第２の切り取り部１４０は、他方の側面板１５に向けて切り取りラインが延設されている。この第２の切り取り部（切り取りライン）１４０が他方の側面板１５と接する高さ位置Ｇは、他方の側面板１５に形成されている一対の引き裂き開始片１６，１７が対向する位置に形成されている分離ライン１８の高さ位置と実質的に同じ高さ位置（±１５ｍｍ程度の誤差範囲内）とすることが好ましい。後述する動作説明からわかるように側面板１５の一部にヒンジ機能折り部を形成させる際に、その形成を分離ライン１８の切れ目を利用して容易に行なうようにするためである。
【００５２】
また、図１に示されるように帯状の第２の引き裂き体１３０は、引き裂き側片３８＊と接する一方端１３０ａ側から底面板２１の略中央部に向けて漸減する帯幅を有してなるように構成することが望ましい。第２の引き裂き体１３０の一方端１３０ａを引き裂き開始の基点として底面板２１の略中央部に向けて引き裂き動作をスムースにするためである。漸減する帯幅の設定は、０〜５０ｍｍ程度とすればよい。このような帯状の第２の引き裂き体１３０は、その輪郭に沿って切断用の切り込み線が断続的に形成されている。
【００５３】
さらに、図１に示されるように引き裂き側片３８＊が存在している位置を上方とした場合、底面板２１における帯状の第２の引き裂き体１３０と第２の切り取り部１４０との接合箇所Ｐ（１３０ｂと同じ）は、底面板２１の中心点Ｑよりも下方位置にあり、かつ他方の側面板１５側に位置するように構成することが望ましい。
【００５４】
また、本発明における引き裂き側片３８＊の輪郭を構成する折り線６１，６２の部分には、通常、ミシン目等の切れ目を形成しておくことが望ましい。引き裂き除去を容易に行なうためである。なお、引き裂き側片３８＊の引き裂き開始は、図１に示されるように、端部までミシン目が形成されている一方端３８ａ＊側から他方端３８ｂ＊に向かって行なうことが好ましい。他方端３８ｂ＊近傍のわずかな距離Ｌ（１０〜３０ｍｍ程度）の間にはミシン目が形成されていないので、最後は勢いで強引に引き裂くような操作が行われる。
図１に示されるような展開状態の包装箱カートンを組み立てて完成させた状態が図２の概略斜視図に示されている。
【００５５】
次なる操作説明を包装箱の開封操作と再封止操作に分けて説明する。
【００５６】
（開封操作）
主として図２〜図５に基づいて本発明の包装箱の開封操作の経時的な説明を行なう。
まず最初に、端部までミシン目が形成されている引き裂き側片３８＊の一方端３８ａ＊側をわずかに剥がす。その剥がした部分を把持したまま、反対側に位置する他方端３８ｂ＊に向かって引き裂き側片３８＊の引き裂き操作を行い、引き裂き側片３８＊を完全に除去する。引き裂き側片３８＊の除去操作の途中の状態が図３に示されている。
【００５７】
次いで、図４に示されるように、引き裂き側片３８＊を取り除いた後にできた空間に手の一部を挿入しつつ帯状の第２の引き裂き体１３０の上端部を把持する。次いで、この上端部を把持したまま第２の引き裂き体１３０を斜め下方に徐々に引き裂いて行って、最終的に第２の引き裂き体１３０を完全に除去する。第２の引き裂き体１３０の除去操作の途中の状態が図４に示されている。
【００５８】
同様な動作によって、第１の引き裂き体１１０も引き裂き除去する。図４には、第１の引き裂き体１１０と第２の引き裂き体１３０を同時に引き裂く状態が示されているが、双方の引き裂き操作は、片方ずつ行なうようにしてもよいし、両方同時に行なうようにしてもよい。片方ずつ行なう場合には、第１の引き裂き体１１０または第２の引き裂き体１３０どちらを先に行なってもよい。
【００５９】
次いで、図５に示されるように他方の側面板１５の方向に向けて第１の切り取り部１２０および第２の切り取り部１４０が切り取り線に沿って切り取られ、しかる後、高さ位置Ｇ−Ｇのラインで側面板１５が折り曲げられて側面板１５の一部にヒンジ機能折り部１９０が形成される。この際、高さ位置Ｇ−Ｇのライン上に、引き裂き開始片１６，１７の分離ライン１８があれば側面板１５の折り曲げが容易に行なえる。このようなヒンジ機能折り部１９０の形成によって、図５に示されるごとく蓋体２００が形成される。
【００６０】
このようにして他方の側面板１５の一部にヒンジ機能折り部１９０を形成させることによって、このヒンジ機能折り部１９０を中心として蓋体２００を回動可能とすることができる。そして、図５に示されるように、ヒンジ機能折り部１９０を中心として蓋体２００を後方まで回動させることによって、包装箱は完全に開封される。
【００６１】
図６には、開封された包装箱の中に、缶容器製品物７の集合体、すなわち、２×３合計６本の缶製品を収納するマルチパック包装体３００が２列２段に収納された状態が示されている。
【００６２】
図６に示されるように、例えば、本発明における引き裂き体を除去した後の形態や、切り取り部で形取られるライン形態は、下段に位置するマルチパック包装体３００の上端部を露出させることができるようになっているために、下段のマルチパック包装体３００も容易に取り出すことができる。
【００６３】
（再封止操作）
包装箱の中身を所定量取り出した後に、図５や図６に示される開封状態から、ヒンジ機能折り部１９０を中心として蓋体２００を容器製品物に被せるように回動させ、元の状態に戻す操作をすることによって、包装箱は再封止される。
【００６４】
なお、図６に示されるように、包装箱１によって被包装物である容器製品物が包装がされ、中味と包装箱が一体化された商品である包装製品２が形成される。
【００６５】
本発明において、被包装物である容器製品物は、前述したように缶容器製品物またはその集合体であり、これらの説明は上述したとおりであるので、ここでの説明は省略する。
【００６６】
ところで、上述してきた本発明における包装箱は、上面４Ｎ角形（Ｎは２以上の整数）であって、かつＮ＝２の場合を例にとって説明してきた。しかしながら、本発明のさらなる変形例として、上面４角形のいわゆる通常の直方体形状の包装箱であっても、わずかな変形で、上述してきた上面４Ｎ角形（Ｎは２以上の整数）の場合と同様な作用効果を発現させることができる。
【００６７】
すなわち、上面板、底面板、およびこれらを連結する一対の側面板を有して形成される胴部、ならびに内フラップおよび外フラップを備えてなるラップアラウンド式の上面４角形の包装箱（いわゆる通常の直方体形状の箱）において、前記一対の側面板のうち一方の側面板は、内フラップと接続する箇所の一つに、引き裂き除去可能な引き裂き側片を備えるように構成される。つまり、通常の直方体形状の包装箱において、図２に示されるような引き裂き側片３８＊の部分のみを一方の側面板の上部に形成するのである。この場合、引き裂き側片３８＊の上端ラインは内フラップとの接続箇所（内フラップの基部ライン）が該当する。下端ラインは所定の引き裂き幅をもって上端ラインと略平行となるように形成される。引き裂き側片３８＊の上端ラインおよび下端ラインには切り取り線としてのミシン目を入れておくことが望ましい。他の構成は、上面４Ｎ角形（Ｎは２以上の整数）の場合と同様である。すなわち、上面板は帯状の第１の引き裂き体を有し、この帯状の第１の引き裂き体の一方端は、前記引き裂き側片の一方端に向かって延びており、この帯状の第１の引き裂き体の他方端は前記上面板の略中央部に向かって延びるとともに、他方の側面板に向けて延設されている第１の切り取り部と連接されている。
【００６８】
さらに、底面板は帯状の第２の引き裂き体を有し、この帯状の第２の引き裂き体の一方端は、前記引き裂き側片の他方端に向かって延びており、この帯状の第２の引き裂き体の他方端は前記底面板の略中央部に向かって延びるとともに、他方の側面板に向けて延設されている第２の切り取り部と連接されている。このような包装箱の仕様のもとに、引き裂き側片を引き裂き除去するとともに、この引き裂き側片の両端にそれぞれ配置・連接されている帯状の第１の引き裂き体および帯状の第２の引き裂き体を前記上面板および前記底面板の略中央部に向けて引き裂き除去し、さらに、前記他方の側面板方向に向けて前記第１の切り取り部および第２の切り取り部を切り取る。このような操作によって形成された蓋体を前記他方の側面板側に回動させて前記他方の側面板の一部にヒンジ機能折り部を形成させる。このような一連の操作によって、前記蓋体は前記ヒンジ機能折り部を中心として回動させることができるようになり、本願所望の作用効果が発現する。
【産業上の利用可能性】
【００６９】
本発明は缶製品等の容器製品物を包み込むように収納するいわゆるラップアラウンド式の包装箱およびその包装箱に製品を収納した包装製品であり、包装産業一般に利用することができる。
【図面の簡単な説明】
【００７０】
【図１】図１は、本発明の包装箱の展開図の一例を示した図面である。
【図２】図２は、図１に示される展開された箱オリジナル紙を組み立てた斜視図である。
【図３】図３は、本発明の包装箱の開封操作の経時的な説明を行なうための概略斜視図である。
【図４】図４は、本発明の包装箱の開封操作の経時的な説明を行なうための概略斜視図である。
【図５】図５は、本発明の包装箱の開封操作の経時的な説明を行なうための概略斜視図である。
【図６】図６は図５相当図であって、完全に開封された包装箱の中に、缶容器製品物の集合体であるマルチパック包装体を２列２段に収納された状態を示す概略斜視図である。
【符号の説明】
【００７１】
１…包装箱
２…包装製品
１１，１５…側面板
２１…底面板
２５…上面板
３１，３５…内フラップ
３８…折り曲げ連接側片
３８＊…引き裂き側片
４１,４５…外フラップ
１１０…第１の引き裂き体
１２０…第１の切り取り部
１３０…第２の引き裂き体
１４０…第２の切り取り部
【図１】
2006182366.tif 000003
【図２】
2006182366.tif 000004
【図３】
2006182366.tif 000005
【図４】
2006182366.tif 000006
【図５】
2006182366.tif 000007
【図６】
2006182366.tif 000008